(57)【要約】【課題】簡易な構成により、電光表示による文字等のサインを使用者が自由自在に繰り返し作製することができ、移動・携帯が便利で、室内・屋外・車中など場所を選ばず用いることができる、新規な電光表示体を提供すること。【解決手段】電光表示体１０を、電源に接続されることにより機能する光源がロープ状に構成されたロープ状光源体１と、該ロープ状光源体１が任意の形状にて固定されるための固定用支持体５と、該ロープ状光源体１を該固定用支持体５に固定するための固定手段３と、から構成する。【選択図】  図１
2005037581.tif 000002
【特許請求の範囲】
【請求項１】
電源に接続されることにより機能する光源がロープ状に構成されたロープ状光源体と、該ロープ状光源体が任意の形状にて固定されるための固定用支持体と、該ロープ状光源体を該固定用支持体に固定するための固定手段と、からなり、該ロープ状光源体を該固定用支持体上任意位置において固定することにより任意の形状を表示する電光表示を行うことのできる、電光表示体。
【請求項２】
前記ロープ状光源体は、チューブの中に複数の電球が接続された回路を構成する電線が設けられたもの、または光ファイバーを光源として用いるものであることを特徴とする、請求項１に記載の電光表示体。
【請求項３】
前記固定用支持体は複数の線材が縦横に組まれて格子状をなす格子状構造を有し、前記ロープ状光源体は該格子状構造の各格子の角部または辺部に固定されることを特徴とする、請求項１または２に記載の電光表示体。
【請求項４】
前記固定手段は前記ロープ状光源体を前記格子状構造の任意位置で緊縛して固定することのできる緊縛用具であることを特徴とする、請求項３に記載の電光表示体。
【発明の詳細な説明】
【０００１】
【発明の属する技術分野】
本発明は電光表示体に関し、特に簡易な構成により、電光表示による文字等のサインを使用者が自由自在に繰り返し作製することができ、移動・携帯が便利で、室内・屋外・車中など場所を選ばず用いることができる、新規な電光表示体に関するものである。
【０００２】
【従来の技術】
営業宣伝・広告、道路交通上その他の表示や案内、イベント・各種行事での展示・装飾などに、従来、ネオンサイン、発光ダイオード（ＬＥＤ）ディスプレイサイン等が用いられてきた。旧来より用いられているネオンサインは、ネオン管により文字等を形成する加工が必要であり、一度形成された表示の改変はできなかった。一方ＬＥＤディスプレイサインは、任意に文字等を入力して、その電光表示を変えることができる。しかし、いずれも固定して用いられ、移動を想定していないものであるため、これを移動して用いることは、不可能または困難である。
【０００３】
基礎的、物質的な生活基盤が充分に整備された今日、趣味や遊び、楽しみ、癒し、創作、あるいは知的満足のための消費は、確実に増加傾向にある。したがって、かかる分野における上述の電光表示技術に関する新たな提案は、新たな市場を形成し、消費を活性化するとともに、生活に新たな豊かさをもたらす可能性を有する。つまり、たとえば自動車の車中、住宅の室内や窓辺に、移動自在に設置することができたり、あるいは門扉等に簡単に取り付け取り外しすることができる、個人的あるいは私的な電光表示装置があれば、生活の彩りが増し、さらに表示内容によっては実用的な用途も果たすことができる。加えて、電光表示される文字等のサインを、使用者自身が自由自在に繰り返し作製できる構成であれば、手作り感・創作の喜びも提供でき、実用上も便利である。
【０００４】
かかる、従来技術を踏まえての課題認識に基づき、関連する特許出願等がなされていないか、検索調査を行った。その中で、特開平５−９４１３８号公報に開示された「自動車用運転者意志表示装置」（特許文献１）は、自動車後部窓内側に電光掲示板のような文字を表示する装置を設け、運転者の操縦意志を表示するようにして交通の安全を図ることを目的として、ＬＥＤボード、ＩＣまたは液晶板を用いて、自動車後部窓内側に文字を固定式又は流動式に表示する装置を設け、これを運転者の操縦ハンドル近傍に設けたスイッチにより操作できるよう構成したものである。
【０００５】
【特許文献１】
特開平５−９４１３８号公報  「自動車用運転者意志表示装置」。要約。特許請求の範囲。図１。
【０００６】
【発明が解決しようとする課題】
しかし、この提案はあくまで自動車用の意思表示装置として、表示内容を限定してあらかじめ設定しておくものであり、上述したような、場所を選ばず、簡易な方法で使用者が自由自在に繰り返し可能にサインを構成できる提案には該当しない。
【０００７】
本発明の課題は、かかる従来技術を踏まえて、簡易な構成により、電光表示による文字等のサインを使用者が自由自在に繰り返し作製することができ、移動・携帯が便利で、室内・屋外・車中など場所を選ばず用いることができる、新規な電光表示体を提供することである。さらに述べれば、それを用いることにより生活の彩りが増し、手作り感・創作の喜びも提供でき、実用的な用途も果たすことができる、新規な電光表示体を提供することである。
【０００８】
【課題を解決するための手段】
本願発明者は上記課題につき鋭意検討し、その解決手段に至った。すなわち、上記課題を解決するための手段として、本願で特許請求される発明は以下のとおりである。
【０００９】
（１）  電源に接続されることにより機能する光源がロープ状に構成されたロープ状光源体と、該ロープ状光源体が任意の形状にて固定されるための固定用支持体と、該ロープ状光源体を該固定用支持体に固定するための固定手段と、からなり、該ロープ状光源体を該固定用支持体上任意位置において固定することにより任意の形状を表示する電光表示を行うことのできる、電光表示体。
【００１０】
（２）  前記ロープ状光源体は、チューブの中に複数の電球が接続された回路を構成する電線が設けられたもの、または光ファイバーを光源として用いるものであることを特徴とする、（１）に記載の電光表示体。
【００１１】
（３）  前記固定用支持体は複数の線材が縦横に組まれて格子状をなす格子状構造を有し、前記ロープ状光源体は該格子状構造の各格子の角部または辺部に固定されることを特徴とする、（１）または（２）に記載の電光表示体。
【００１２】
（４）  前記固定手段は前記ロープ状光源体を前記格子状構造の任意位置で緊縛して固定することのできる緊縛用具であることを特徴とする、（３）に記載の電光表示体。
【００１３】
【発明の実施の形態】
以下、本発明を図面により詳細に説明する。
図１は、本発明に係る電光表示体の構成を示す説明図である。図において電光表示体１０は、電源に接続されることにより機能する光源がロープ状に構成されたロープ状光源体１と、該ロープ状光源体１が任意の形状にて固定されるための固定用支持体５と、該ロープ状光源体１を該固定用支持体５に固定するための固定手段３と、から主として構成される（請求項１）。
【００１４】
【作用】
図において本発明の電光表示体１０は上述のように構成されるため、ロープ状光源体１は、電源に接続されて光源として機能し、特に、発せられた光がロープ状を呈する。該ロープ状光源体１は、固定手段３によって任意の形状にて固定用支持体５上に固定されるため、該ロープ状光源体１が電源に接続されることにより、該光源体１から発せられた光は前記任意の形状を呈する。したがって、該ロープ状光源体１の該固定用支持体５上任意位置における固定により、任意の形状を表示する電光表示を行うことができる。
【００１５】
図において、本電光表示体１０では、前記ロープ状光源体１としてチューブの中に複数の電球が接続された回路を構成する電線が設けられたもの、または光ファイバーを光源として用いることができる（請求項２）が、本発明に係る光源としては、電源によるものである限り、適宜のものを用いることができる。したがって、発光ダイオード（ＬＥＤ）等も本発明からは除外されない。該ロープ状光源体１０は、１個１個の光源の単位が連続して接続された回路をなし、これに必要に応じて、光源保護手段となる光透過性の被覆材を設けることにより構成することができる。被覆材としては、ロープ状に任意の形状を形成し得て、光透過性であれば、ビニル製のチューブ状、あるいはホース状のもの等適宜のものを用いることができる。
【００１６】
図において該ロープ状光源体１の両端は、電源に接続するための構造とする。交流電源用、あるいはアダプターを介して交流−直流変換するなど、電源方式は限定されず、適宜手段を用いることができる。したがって、車両内において使用し得る電光表示体を構成することもできるなど、電源を得ることのできる場所であればあらゆる場所で使用することができる。本電光表示体１０はこれを持ち運び可能な大きさで構成することができるため、電源の得られる場所であれば、建築物、車両内、屋外を問わず、設置場所を自在に変えて電光表示を行うことができる。
【００１７】
前記固定用支持体５は、その材質、形状等は特に限定されず、その上に、前記ロープ状光源体１を任意の形状にて固定し、その重量を支持できる強度、あるいはその重量により変形しない程度以上の強度を有するものであればよい。したがって、適宜材質による板状のもの、あるいは後述するような格子状のものでもよい。また、形状は長方形でも、他の多角形でも、円または楕円形でも、その他どのような平面形状でもよい。材料としては、合成樹脂、金属、特に磁性体金属、木製、セラミックス、その他適宜の材料を限定なく用いることができる。孔部を多数有する平板、マジックテープ（登録商標）の一方側が設けられた板、などでもよい。本発明に係る固定用支持体５としては、立体的な形状を特に排除しないが、本発明の電光表示体は電光により文字・図形その他の形状を表示するものであるため、該固定用支持体５は平面的な形状であることが、より望ましい。
【００１８】
前記固定手段３は、前記固定用支持体５との関係で前記ロープ状光源体１を該固定用支持体５に固定することができるものである限り、特に限定されず適宜の手段を用いることができる。該固定用支持体５としてたとえば鉄等の磁性を有する金属を用いる場合は、該固定手段３として磁石製の固定部材を用いることができる。後述するように該固定用支持体５として格子状の構造を用いる場合は、該固定手段３として、針金等を用いた塑性を有する緊縛用部材を用いることができる。支持すべき該ロープ状光源体１の重量に応じて、マジックテープ（登録商標）を利用することもできる。該固定用支持体５として孔部を多数有する平板を用いた場合、該固定手段３として、該孔部に着脱自在に嵌め込み固定することのできる留め金様の部材を用いることができる。あるいは該固定手段３として、孔部に差し込み固定して該ロープ状光源体１をその上に架けて固定することのできるフック様の部材を用いることもできる。
【００１９】
図１のように、前記固定用支持体５は、これを立てて置くことが可能なように底部がＬ字状に曲げられた構造とすることができるが、本電光表示体１０の固定用支持体５の構造はこれに限定されない。立てて置くことのできる構造として、底部を逆Ｔ字状とするなど、適宜の形状とすることができる。また、本電光表示体１０は立てて置く以外の設置方法も可能である。たとえば、該固定用支持体５をその上方から吊り下げるようにして用いる場合、底部をＬ字状に曲げるなどスタンド状の形状をとる必要はない。
【００２０】
前記ロープ状光源体１の柔軟性は、これを任意の形状にて前記固定用支持体５に固定できる程度であればよいが、より柔軟な材質・構成とすることによって、それにより表示できる文字・図形等の複雑さや精緻さを増加させ、表示される文字・図形等の範囲を広げ、あるいは表現方法を多様化させることができる。
【００２１】
図２は、本発明に係る電光表示体の別の構成を示す説明図である。図において本電光表示体２０では、前記ロープ状光源体１１を、その内部に回路が収納された構造とすることができる。すなわち該ロープ状光源体１１の一端部Ｔで回路が折り返され、折り返された以後の回路部分は光源を設けない構成とすることができる。折り返しのなされた回路全体が、該ロープ状光源体１１の被覆材により被覆される。かかる構成により、該ロープ状光源体１１全体の長さをより短くすることができ、移動や携帯の際の利便性が増す。また、該ロープ状光源体１１を用いた任意形状の固定は、端部Ｔから始めることができるなど、固定操作における容易性が得られる。
【００２２】
図３は、本発明に係る電光表示体の別の構成を示す説明図である。図において電光表示体３０は、前記固定用支持体２５は複数の線材が縦横に組まれて格子状をなす格子状構造を有することを特徴とする（請求項３）。特に該固定手段として、該ロープ状光源体２１を前記格子状構造（２５）の任意位置で緊縛して固定することのできる緊縛用具２３を用いることができる（請求項４）。
【００２３】
図において本電光表示体３０は上述のように構成されるため、前記ロープ状光源体２１は該格子状構造（２５）の各格子の角部または辺部に固定することができる。特に該固定手段として前記緊縛用具２３を用いることにより、該ロープ状光源体２１を前記格子状構造（２５）の任意位置で、各格子の角部または辺部を利用してそこに緊縛して固定することができる。該固定用支持体２５と該固定手段（２３）をかかる構成とすることにより、該ロープ状光源体２１の任意形状での固定や変更を容易に行うことができ、電光表示による文字等のサインを使用者が自由自在に繰り返し作製することができ、手作り感を一層提供することができる。
【００２４】
前記緊縛用具２３としては、針金等の、前記ロープ状光源体２１の周囲を巻いて前記固定用支持体２５に架けることのできる程度以上の塑性と、該ロープ状光源体２１を該固定用支持体２５に安定して固定維持できる程度以上の強度を有する線材を用いたものなど、適宜のものを使用することができる。
【００２５】
【実施例】
以下、本発明の実施例を述べるが、本発明がこれに限定されないことはいうまでもない。
＜実施例１  電光表示体による文字の表示＞
チューブの中に複数の電球が接続された回路を構成する電線を用いてロープ状の光源体を形成し、プラスチックにより被覆された金属線材を格子状に構成したフレームを略Ｌ字状に折り曲げて固定用支持体とし、固定手段にはビニルタイを用いて、電光表示体を製作した。ロープ状光源体を、アルファベット「Ｌ」、「Ｏ」、「Ｖ」、「Ｅ」をこの順に一筆書きして、全体で「ＬＯＶＥ」と表示され得る形状で、固定用支持体に固定した。
【００２６】
図４は、実施例１の電光表示体の左側面写真図である。テーブルの上に載置して撮影したものである（以下も同様。）
図５は、実施例１の電光表示体を用いて、アルファベットにより「ＬＯＶＥ」の表示がなされるようにロープ状光源体を固定した状態の正面写真図である。電光表示はまだしていない状態で、外部の照明を用いて撮影したものである。
図６は、図５の実施例において、電光表示させた状態の正面写真図である。外部の照明を消して撮影したものであり、電光表示がテーブルに反射した光が図の下部に示されている。
各図において示されるとおり、簡易な構成により、文字の電光表示を形成することができた。
【００２７】
＜実施例２  電光表示体による図形の表示＞
実施例１の電光表示体を用いて、ロープ状光源体を、星形が表示され得る形状で、固定用支持体に固定した。
図７は、実施例２の電光表示体を用いて、星形の表示がなされるようにロープ状光源体を固定し、外部照明を消して電光表示させた状態の正面写真図である。図において示されるとおり、簡易な構成により、図形の電光表示を形成することができた。
【００２８】
【発明の効果】
本発明の電光表示体は上述のように構成されているため、簡易な構成により、電光表示による文字等のサインを使用者が自由自在に繰り返し作製することができる。しかも移動・携帯が便利で、室内・屋外・車中など場所を選ばず用いることができる。さらに、本発明の電光表示体を用いることにより生活の彩りが増し、手作り感・創作の喜びが提供され、実用的な用途にも用いることができる。
【図面の簡単な説明】
【図１】本発明に係る電光表示体の構成を示す説明図である。
【図２】本発明に係る電光表示体の別の構成を示す説明図である。
【図３】本発明に係る電光表示体の別の構成を示す説明図である。
【図４】実施例１の電光表示体の左側面写真図である。
【図５】実施例１の電光表示体を用いて、アルファベットにより「ＬＯＶＥ」の表示がなされるようにロープ状光源体を固定した状態の正面写真図である。
【図６】図５の実施例において、電光表示させた状態の正面写真図である。
【図７】実施例２の電光表示体を用いて、星形の表示がなされるようにロープ状光源体を固定し、電光表示させた状態の正面写真図である。
【符号の説明】
１、１１、２１…ロープ状光源体
３、１３、２３…固定手段
５、１５、２５…固定用支持体
１０、２０、３０…電光表示体
Ｐ…ロープ状光源体の電源側端部
Ｔ…ロープ状光源体の他方端部
【図１】
2005037581.tif 000003
【図２】
2005037581.tif 000004
【図３】
2005037581.tif 000005
【図４】
2005037581.tif 000006
【図５】
2005037581.tif 000007
【図６】
2005037581.tif 000008
【図７】
2005037581.tif 000009